(57)【要約】【課題】収容部を備え、収容部に収容された物質を使用する際の情報を記憶可能な携帯型情報発信装置を提供する。【解決手段】リアルタイムクロックと、質問文と、質問文の回答を入力するために押下される回答ボタンと、回答情報を記憶する記憶手段と、記憶手段に記憶された回答情報を無線通信波にて送信する送信手段とを備える。さらに、収容部２１４と、収容部２１４から美容液２１５（物質）が取り出されたことを検知する検知部２２４（検知手段）とを備え、記憶手段が、さらに、取出情報を記憶するとともに、送信手段が、さらに、回答情報と取出情報を無線通信波にて送信する。そして、検知部２２４は、隣り合う収容部２１４、２１４を区切るジッパーＣ２２をまたがる電気回路ＥＣ´を用いて構成され、断線されることによって収容部２１４から美容液２１５が取り出されたことを検知する。【選択図】図８
2015211910.tif 000002
【特許請求の範囲】
【請求項１】
タイムスタンプを付与するためのリアルタイムクロックと、
使用者に対して問い合わせる質問文と、
該質問文の回答を入力するために押下される回答ボタンと、
前記回答ボタンで入力された回答および、前記回答ボタンが押下されたときのタイムスタンプとで構成される回答情報を記憶する記憶手段と、
該記憶手段に記憶された前記回答情報を無線通信波にて送信する送信手段とを備える携帯型情報発信装置において、
物質を収容可能な複数の収容部と、
該複数の収容部のそれぞれに設けられ、該収容部から前記物質が取り出されたことを検知する複数の検知手段とを備え、
前記記憶手段が、さらに、前記物質が取り出された前記収容部および、前記物質が取り出されたときのタイムスタンプとで構成される取出情報を記憶するとともに、
前記送信手段が、さらに、前記取出情報を無線通信波にて送信し、
前記検知手段は、隣り合う前記収容部を区切るジッパーをまたがる電気回路を用いて構成され、断線されることによって前記収容部から前記物質が取り出されたことを検知することを特徴とする、携帯型情報発信装置。
【請求項２】
前記収容部は、前記物質を収容する容器と、前記容器を覆う表層とによって構成され、
前記表層が引き剥がされることによって、前記電気回路が断線することを特徴とする、請求項１に記載の携帯型情報発信装置。
【請求項３】
前記電気回路の電源を入れるスタートスイッチと、
前記回答ボタンが押下されてから一定時間、無操作状態が継続すると電流を微弱にするスリープ手段とを備えることを特徴とする、請求項１から２のいずれかに記載の携帯型情報発信装置。
【請求項４】
前記電気回路を載置する基板は、１枚の紙またはプラスチックが折り畳まれてなり、
該基板上に印刷により前記電気回路を形成することを特徴とする、請求項１から３のいずれかに記載の携帯型情報発信装置。
【請求項５】
前記収容部は、プラスチックシートとアルミシートとが接着されて形成されることを特徴とする、請求項１から４のいずれかに記載の携帯型情報発信装置。
【請求項６】
請求項１から５のいずれかに記載の携帯型情報発信装置と、
前記送信手段が送信する前記回答情報および前記取出情報を受信する受信手段と、
該受信手段にて受信した前記回答情報および前記取出情報を格納する格納手段と、
該格納手段に格納された前記回答情報および前記取出情報を表示する複数の表示手段とを備えることを特徴とする、物質情報管理システム。
【発明の詳細な説明】
【技術分野】
【０００１】
本発明は、タイムスタンプを付与するためのリアルタイムクロックと、質問文の回答を入力するために押下される回答ボタンと、回答ボタンによる回答情報を記憶する記憶手段と、回答情報を無線通信波にて送信する送信手段とを備える携帯型情報発信装置、およびそれを備える物質情報管理システムに関する。
【背景技術】
【０００２】
従来の携帯型情報発信装置は、例えば、特許文献１にあるように、医療検査測定用に用いられる。この携帯型情報発信装置には、タイムスタンプを付与するためのリアルタイムクロックと、使用者に対して問い合わせる質問文と、質問文の回答を入力するために押下される回答ボタンと、回答ボタンで入力された回答および、回答ボタンが押下されたときのタイムスタンプとで構成される回答情報を記憶する記憶手段と、記憶手段に記憶された回答情報を無線通信波にて送信する送信手段と、測定試料のセンサーなどを備える。
【０００３】
まず、試料の測定を開始する前に、使用者は、予め設定された質問文に対して回答ボタンを押下して回答する。この回答は、タイムスタンプとともに記憶手段に記憶される。次に、センサーに測定すべき試料（特許文献１の例では、血液）を載置する。そして、センサーが測定した測定情報は、タイムスタンプとともに、記憶手段に記憶される。この状態で、携帯型情報発信装置をデータ処理施設へ郵送し、そこで、データスキャナーにかざすと記憶手段に格納された使用者の回答と測定情報が送信手段を介してデータスキャナーに伝送され、データ解析される。このように、特許文献１に開示された携帯型情報発信装置では、（１）予め設定された質問に対する使用者の回答、および、使用者がセンサーで測定した測定データを記憶手段に記憶すること、また、（２）記憶された使用者の情報を送信手段を介して伝送することが可能であった。
【先行技術文献】
【特許文献】
【０００４】
【特許文献１】特表２００８−５１６２４８号公報
【発明の概要】
【発明が解決しようとする課題】
【０００５】
ところで、化粧品業界などでは、例えば、店頭で販売したサプリメントや乳液などの使用データを解析し、この解析結果をもとにして、次回、サプリメントや乳液などを購入する際のアドバイスをしようという動きがある。詳しくは、サプリメントや乳液などを１回使用分ごとに収容部に収容し、サプリメントや乳液などを１回使用するごとに、そのときの使用者の体調などの情報を入力ボタンを用いて入力して記憶する。そして、この情報に基づいて、使用したサプリメントや乳液が使用者に合っているか否かを分析し、次回、サプリメントや乳液を購入する際に販売員がアドバイスするために用いる。
【０００６】
しかし、特許文献１の携帯型情報発信装置では、収容部を備えることに対する示唆や開示はなく、このような要請に適用することは困難であった。
【０００７】
そこでこの発明の目的は、収容部を備え、収容部に収容された物質を使用する際の情報を記憶可能な携帯型情報発信装置を提供することにある。
【課題を解決するための手段】
【０００８】
このため請求項１に記載の発明は、タイムスタンプを付与するためのリアルタイムクロックと、
使用者に対して問い合わせる質問文と、
該質問文の回答を入力するために押下される回答ボタンと、
前記回答ボタンで入力された回答および、前記回答ボタンが押下されたときのタイムスタンプとで構成される回答情報を記憶する記憶手段と、
該記憶手段に記憶された前記回答情報を無線通信波にて送信する送信手段とを備える携帯型情報発信装置において、
物質を収容可能な複数の収容部と、
該複数の収容部のそれぞれに設けられ、該収容部から前記物質が取り出されたことを検知する複数の検知手段とを備え、
前記記憶手段が、さらに、前記物質が取り出された前記収容部および、前記物質が取り出されたときのタイムスタンプとで構成される取出情報を記憶するとともに、
前記送信手段が、さらに、前記取出情報を無線通信波にて送信し、
前記検知手段は、隣り合う前記収容部を区切るジッパーをまたがる電気回路を用いて構成され、断線されることによって前記収容部から前記物質が取り出されたことを検知することを特徴とする。
【０００９】
請求項２に記載の発明は、請求項１に記載の携帯型情報発信装置において、前記収容部は、前記物質を収容する容器と、前記容器を覆う表層とによって構成され、
前記表層が引き剥がされることによって、前記電気回路が断線することを特徴とする。
【００１０】
請求項３に記載の発明は、請求項１から２のいずれかに記載の携帯型情報発信装置において、前記電気回路の電源を入れるスタートスイッチと、
前記回答ボタンが押下されてから一定時間、無操作状態が継続すると電流を微弱にするスリープ手段とを備えることを特徴とする。
【００１１】
請求項４に記載の発明は、請求項１から３のいずれかに記載の携帯型情報発信装置において、前記電気回路を載置する基板は、１枚の紙またはプラスチックが折り畳まれてなり、
該基板上に印刷により前記電気回路を形成することを特徴とする。
【００１２】
請求項５に記載の発明は、請求項１から４のいずれかに記載の携帯型情報発信装置において、前記収容部は、プラスチックシートとアルミシートとが接着されて形成されることを特徴とする。
【００１３】
請求項６に記載の発明は、物質情報管理システムにおいて、請求項１から５のいずれかに記載の携帯型情報発信装置と、
前記送信手段が送信する前記回答情報および前記取出情報を受信する受信手段と、
該受信手段にて受信した前記回答情報および前記取出情報を格納する格納手段と、
該格納手段に格納された前記回答情報および前記取出情報を表示する複数の表示手段とを備えることを特徴とする。
【発明の効果】
【００１４】
請求項１に記載の発明によれば、タイムスタンプを付与するためのリアルタイムクロックと、使用者に対して問い合わせる質問文と、質問文の回答を入力するために押下される回答ボタンと、回答ボタンで入力された回答および、回答ボタンが押下されたときのタイムスタンプとで構成される回答情報を記憶する記憶手段と、記憶手段に記憶された回答情報を無線通信波にて送信する送信手段とを備える携帯型情報発信装置において、物質を収容可能な複数の収容部と、複数の収容部のそれぞれに設けられ、収容部から物質が取り出されたことを検知する複数の検知手段とを備え、記憶手段が、さらに、物質が取り出された収容部および、物質が取り出されたときのタイムスタンプとで構成される取出情報を記憶するとともに、送信手段が、さらに、取出情報を無線通信波にて送信し、検知手段は、隣り合う収容部を区切るジッパーをまたがる電気回路を用いて構成され、断線されることによって収容部から物質が取り出されたことを検知する。
【００１５】
これによって、サプリメントや乳液など（物質）を収容部に収容することができるようになり、これらを携帯型情報発信装置に収容して販売することができる。また、収容部に収容された物質を取り出す際（使用する際）に、物質を取り出した日時、取り出された収容部の箇所などの情報を記憶可能な携帯型情報発信装置を提供することができる。さらに、これらの情報が必要に応じて送信可能であるので、携帯型情報発信装置をデータスキャナーなどの読取装置にかざすことによって、携帯型情報発信装置に記憶された回答情報と取出情報を読取装置に転送することができる。したがって、読取装置がコンピュータなど情報処理・解析装置と連結された場合には、これらの回答情報と取出情報をもとにしてデータ解析することができる。
【００１６】
請求項２に記載の発明によれば、収容部は、物質を収容する容器と、容器を覆う表層とによって構成され、表層が引き剥がされることによって、電気回路が断線するので、ゼリー状液体や、粉体であっても好適に収容することができる。
【００１７】
請求項３に記載の発明によれば、電気回路の電源を入れるスタートスイッチと、回答ボタンが押下されてから一定時間、無操作状態が継続すると電流を微弱にするスリープ手段とを備えるので、電池を無駄に消費することがなくなり、電池寿命を長く保つことができる。
【００１８】
請求項４に記載の発明によれば、電気回路を載置する基板は、１枚の紙またはプラスチックが折り畳まれてなり、基板上に印刷により電気回路を形成するので、比較的簡単に基板上に電気回路を形成することができる。また、電気回路を形成するための装置を小型化することができる。
【００１９】
請求項５に記載の発明によれば、収容部は、プラスチックシートとアルミシートとが接着されて形成されるので、別途、検知手段を設ける必要がなく、簡単な構成によって検知手段を構成することができる。
【００２０】
請求項６に記載の発明によれば、請求項１から５のいずれかに記載の携帯型情報発信装置と、送信手段が送信する回答情報および取出情報を受信する受信手段と、受信手段にて受信した回答情報および取出情報を格納する格納手段と、格納手段に格納された回答情報および取出情報を表示する複数の表示手段とを備えるので、携帯型情報発信装置に記憶された回答情報および取出情報を複数の表示手段で表示することができる。これによって、例えば、サプリメントや乳液など（物質）を使い切った使用者が、携帯型情報発信装置を店舗に持参すると、携帯型情報発信装置に記憶されたサプリメントや乳液など（物質）の使用日時やその時の使用者の状況（取出情報および回答情報）をデータスキャナーなどを介してサーバー（格納手段）などに格納し、それを別の店舗のモニター（表示手段）で見ることもできる。したがって、使用者が、最初にサプリメントや乳液などを購入した店舗と別の店舗で新たにサプリメントや乳液などを購入する際に、使用したサプリメントや乳液などの取出情報および回答情報を別の店舗でモニターを通して得ることができ、利便性のよい物質情報管理システムを提供することができる。
【図面の簡単な説明】
【００２１】
【図１】この発明の携帯型情報発信装置の一例の斜視図である。
【図２】（ａ）は図１の携帯型情報発信装置を開いた図、（ｂ）は（ａ）のＸ矢視断面図である。
【図３】（ａ）は図２（ａ）の携帯型情報発信装置をさらに開いた展開図、（ｂ）は（ａ）の一部拡大図である。
【図４】この発明の物質情報管理システムの概略を示すブロック図である。
【図５】（ａ）はサプリメントが収納された収納部の拡大断面図、（ｂ）はサプリメントを取り出したときの状態を示す拡大断面図である。
【図６】この発明の携帯型情報発信装置の一例の使用手順を示すフローチャートである。
【図７】この発明の携帯型情報発信装置の別の例を示す、（ａ）は上方からの斜視図、（ｂ）は下方からの斜視図である。
【図８】この発明の携帯型情報発信装置のさらに別の例を示す、（ａ）は一部拡大平面図、（ｂ）は収容部から物質を取り出す方法を示した図、（ｃ）は収容部から取り出した物質を示す図である。
【発明を実施するための形態】
【００２２】
以下、図面を参照しつつ、本発明の実施の形態について説明する。図１には、錠剤のサプリメント（物質）を収容した電子パッケージ（携帯型情報発信装置）１０の斜視図、図２（ａ）には、電子パッケージ１０を開いた平面図、図２（ｂ）には、その部分断面図、図３には、電子パッケージ１０の基板の展開図を示す。電子パッケージ１０は、片手で把持できる程度の大きさであり、扉部１１、ボタン配列部１２、物質保持部１３を備える。扉部１１とボタン配列部１２との間には側部１６を、ボタン配列部１２と物質保持部１３との間には側部１７を備える。物質保持部１３には、７×４の配列で２８個のサプリメント（物質）１５を備える。
【００２３】
サプリメント１５は、プラスチックシート１４の内側に収容される。プラスチックシート１４には、上に凸に湾曲した略半球殻状の湾曲部１４Ａを２８個備える。プラスチックシート１４は、保持部第１パネル１３ＡとアルミシートＡＬとの間に挟むようにして備えられる。そして、湾曲部１４ＡとアルミシートＡＬとの間に形成された収容部３０にサプリメント１５を１つずつ収容する。アルミシートＡＬの下には保持部第３パネル１３Ｄを設け、保持部第３パネル１３Ｄの下には電気回路ＥＣを介して保持部第２パネル１３Ｂを備える。なお、プラスチックシート１４は、湾曲部１４Ａを７×４の配列で一体に形成したシートである。また、保持部第１パネル１３Ａには湾曲部１４Ａに沿った円状の切り欠き１３ＡＸを、保持部第２パネル１３Ｂ、保持部第３パネル１３Ｄにはそれぞれ、湾曲部１４Ａに沿った円状のミシン目Ｃ１，Ｃ２を備える（後述）。湾曲部１４Ａは、保持部第１パネル１３Ａの切り欠き１３ＡＸ、保持部第２パネル１３Ｂのミシン目Ｃ２、保持部第３パネル１３Ｄのミシン目Ｃ１と略同一の間隔で配置される。
【００２４】
なお、プラスチックシート１４は、透明なプラスティックフィルムないしシートを、熱間真空成形、熱間圧空成形、または熱間真空圧空成形等により、所望の収容空間である湾曲部１４Ａを形成する。
【００２５】
ボタン配列部１２には、スタートボタンＳＴ、質問文１８、回答ボタン１９Ａ，１９Ｂ，１９Ｃを備える。
【００２６】
電子パッケージ１０は、１枚のブランク紙（ブランクシート）を所望の形状にカットされた板紙（基板）Ｐを備える。板紙Ｐには、それぞれ矩形状の、扉部第１パネル１１Ａ、配列部第１パネル１２Ａ、配列部第２パネル１２Ｂ、扉部第２パネル１１Ｂ、扉部第３パネル１１Ｃ、保持部第１パネル１３Ａ、保持部第２パネル１３Ｂ、保持部第３パネル１３Ｄ、および、扉部第１パネル１１Ａと配列部第１パネル１２Ａとの間に備える側部パネル１６Ａ、配列部第２パネル１２Ｂと扉部第２パネル１１Ｂとの間に備える側部パネル１６Ｂ、配列部第１パネル１２Ａと保持部第２パネル１３Ｂとの間に備える側部パネル１７Ａ、配列部第２パネル１２Ｂと保持部第３パネル１３Ｄとの間に備える側部パネル１７Ｂとで構成される。なお、板紙Ｐに代えて、紙を主体とした複合シート、プラスチックシートなど一定の厚みを持った折り曲げ性にすぐれた材料（部材）を用いてもよい。
【００２７】
保持部第１パネル１３Ａには、７×４の配列で２８個の円状の切り欠き１３ＡＸを備える。この切り欠き１３ＡＸの大きさは、プラスチックシート１４の湾曲部１４Ａよりもやや大きく形成される。保持部第２パネル１３Ｂには、保持部第１パネル１３Ａに形成された切り欠き１３ＡＸよりやや大きい円状のミシン目Ｃ２が７×４の配列で２８個形成される。保持部第３パネル１３Ｄには、保持部第１パネル１３Ａに形成された円状の切り欠き１３ＡＸと同程度の大きさの円状のミシン目Ｃ１が７×４の配列で２８個形成される。ミシン目Ｃ２をミシン目Ｃ１よりもやや大きく形成することで、サプリメント１５が収容部３０から押し出される際に、保持部第２パネル１３Ｂと保持部第３パネル１３Ｄの破断を容易にすることができる。なお、ミシン目Ｃ１，Ｃ２に代えてハーフカットであってもよい。
【００２８】
扉部第１パネル１１Ａには、矩形状の切り欠き１１ＡＸを形成する。配列部第１パネル１２Ａには、導電スポット２１Ａ、導電スポット２１Ｂ１，２１Ｂ２，２１Ｂ３が形成される。配列部第２パネル１２Ｂには、不連続部２２、不連続部２３Ａ，２３Ｂ，２３Ｃが形成される。なお、配列部第２パネル１２Ｂの、不連続部２２に対応する反対側の面（図３では裏面）には円状のスタートボタンＳＴが印刷される。また、配列部第２パネル１２Ｂの、不連続部２３Ａ，２３Ｂ，２３Ｃに対応する反対側の面（図３では裏面）にはそれぞれ円状の回答ボタン１９Ａ，１９Ｂ，１９Ｃが印刷される。
【００２９】
扉部第２パネル１１Ｂには、電子モジュールＭが貼着される。また、扉部第２パネル１１Ｂ、配列部第２パネル１２Ｂ、側部パネル１６Ｂ，１７Ｂ、保持部第３パネル１３Ｄには、電気回路ＥＣを形成する。電気回路ＥＣの陰極端子は、電子モジュールＭの一端より出て、扉部第２パネル１１Ｂ、側部パネル１６Ｂ，１７Ｂ、配列部第２パネル１２Ｂ、保持部第３パネル１３Ｄのそれぞれ縁部を通って、電子モジュールＭの他端へ入るように回路構成される。一方、電気回路ＥＣの陽極端子は合計で３２個あり、そのうちの１つが不連続部２２の一方に達し、不連続部２２の他方は、陰極回路に合流する。また、３つの陽極端子はそれぞれ３つの不連続部２３の一方に達し、不連続部２３の他方は、陰極回路に合流する。
【００３０】
残りの２８個の陽極端子は、それぞれ、保持部第３パネル１３Ｄの形成された２８個のミシン目Ｃ１に向かい、ミシン目Ｃ１を略直径方向に横切り、陰極回路に合流する。なお、陽極端子から伸びた２８本の回路線のそれぞれがミシン目Ｃ１で区切られる部分を検知部（検知手段）２４と称する。導電スポット２１Ａ、導電スポット２１Ｂ１，２１Ｂ２，２１Ｂ３、不連続部２２，２３Ａ，２３Ｂ，２３Ｃ、電気回路ＥＣは、導電物質をインクジェット方式により板紙Ｐ上に印刷することによって形成される。なお、印刷方法は、インクジェット方式に限定されるものではなく、シルク印刷、グラビア印刷などどのような印刷方法であってもよい。
【００３１】
後述する手順で板紙Ｐを折り畳む際、切り欠き１１ＡＸは、扉部第１パネル１１Ａを扉部第２パネル１１Ｂに重ねたときに、電子モジュールＭの対応する位置に形成される。導電スポット２１Ａは、配列部第１パネル１２Ａを配列部第２パネル１２Ｂに重ねたときに、不連続部２２の中央部に略一致するように形成される。導電スポット２１Ｂ１，２１Ｂ２，２１Ｂ３は、配列部第１パネル１２Ａを配列部第２パネル１２Ｂに重ねたときに、それぞれ不連続部２３Ａ，２３Ｂ，２３Ｃの２つの電極にまたがる位置に形成される。円状のミシン目Ｃ２はその中心が、保持部第２パネル１３Ｂを保持部第３パネル１３Ｄに重ねたときに、円状のミシン目Ｃ１の中心と略一致するように形成される。切り欠き１３ＡＸはその中心が、保持部第１パネル１３Ａを保持部第３パネル１３Ｄに重ねたときに、ミシン目Ｃ１の中心と略一致するように形成される。
【００３２】
このように電気回路ＥＣの形成された板紙Ｐは、図３において、まず、罫線Ｋ１にて、扉部第１パネル１１Ａが扉部第２パネル１１Ｂに、配列部第１パネル１２Ａが配列部第２パネル１２Ｂにそれぞれ重なるように折り畳んで接着する。このとき、上述のように、切り欠き１１ＡＸは電子モジュールＭに、導電スポット２１Ａは不連続部２２に、導電スポット２１Ｂは不連続部２３にそれぞれ重なるように折り畳まれる。
【００３３】
次に、扉部第３パネル１１Ｃを扉部第１パネル１１Ａに重ね合わせるように折り畳んで接着する。そして、保持部第１パネル１３Ａを保持部第３パネル１３Ｄに重ね合わせるように折り畳んで接着する。このとき、保持部第１パネル１３Ａと保持部第３パネル１３Ｄとの間には、プラスチックシート１４とアルミシートＡＬを挟みこむ。詳しくは、２８個の湾曲部１４Ａがそれぞれ切り欠き１３ＡＸから突出するようにプラスチックシート１４を挟みこむ。プラスチックシート１４を挟み込んだ後、サプリメント１５をそれぞれ湾曲部１４Ａに収容する。次に、湾曲部１４Ａを塞ぐようにアルミシートＡＬを重ねる。このようにして、２８粒のサプリメント１５は、湾曲部１４ＡとアルミシートＡＬとで形成された２８個の収容部３０に１粒ずつ収容される。そして、アルミシートＡＬに保持部第３パネル１３Ｄを重ねる。
【００３４】
なお、それぞれのパネルの接着には、弱導電性のヒートシール剤を用いる。このヒートシール剤は、不連続部２２、不連続部２３Ａ，２３Ｂ，２３Ｃを避けるようにして塗布される。すなわち、不連続部２２、不連続部２３Ａ，２３Ｂ，２３Ｃの形成された配列部第２パネル１２Ｂと、これを重ね合わせる配列部第１パネル１２Ａでは、不連続部２２、不連続部２３Ａ，２３Ｂ，２３Ｃを避けるようにヒートシール剤が塗布される。これによって、不連続部２２、不連続部２３Ａ，２３Ｂ，２３Ｃの箇所では、配列部第１パネル１２Ａと配列部第２パネル１２Ｂとの間に隙間が形成される。また、プラスチックシート１４とアルミシートＡＬ、アルミシートＡＬと保持部第３パネル１３Ｄとの間には、アルミシートと紙を容易に接着できる接着剤が適宜用いられる。一例としては、ウレタン樹脂系接着剤、ポリエチレン樹脂系接着剤、エポキシ樹脂系接着剤などが挙げられる。
【００３５】
そして、スタートボタンＳＴを押下することで、配列部第２パネル１２ＢのスタートボタンＳＴと反対側に形成されている不連続部２２が押されて導電スポット２１Ａと接触して回路が導通する。同様に、回答ボタン１９Ａを押下することで、配列部第２パネル１２Ｂの回答ボタン１９Ａと反対側に形成されている不連続部２３Ａが押されて導電スポット２１Ｂ１と接触して回路が導通する。回答ボタン１９Ｂを押下することで、配列部第２パネル１２Ｂの回答ボタン１９Ｂと反対側に形成されている不連続部２３Ｂが押されて導電スポット２１Ｂ２と接触して回路が導通する。回答ボタン１９Ｃを押下することで、配列部第２パネル１２Ｂの回答ボタン１９Ｃと反対側に形成されている不連続部２３Ｃが押されて導電スポット２１Ｂ３と接触して回路が導通する。
【００３６】
このようにして、図２（ａ）に示すように開いた状態の電子パッケージ１０が形成される。なお、持ち運び時には、さらに、罫線Ｋ８，Ｋ７で物質保持部１３をボタン配列部１２に向けて折り曲げた後、扉部１１を罫線Ｋ２，Ｋ３で物質保持部１３に向けて折り曲げる（このようにして、図１のような形体になる）。
【００３７】
図４には、使用者情報管理システム（物質情報管理システム）を示す。使用者情報管理システムは、電子パッケージ１０、データ読取装置（電子情報読取装置）４０、解析装置５０、複数のモニター（表示手段）６０などで構成される。電子パッケージ１０に備える電子モジュールＭは、動作磁界により発電する発電回路３１、電磁波（ＲＦ信号）を送信するアンテナ（送信手段）３２、電子データを記憶する記憶手段３３、タイムスタンプを付与するリアルタイムクロック３４、電気回路ＥＣに連結して電気回路ＥＣを作動させる電池３５、電池３５の電源供給を所定時間で停止するオートスリープ手段３６、制御部３７などを備える。
【００３８】
データ読取装置４０は、動作磁界を発生させる発信手段４１、電磁波（ＲＦ信号）を受信するアンテナ（受信手段）４２などを備え、外部電源Ｅと接続されている。したがって、発信手段４１は常時、動作磁界を発生させている。なお、電子パッケージ１０とデータ読取装置４０との間は無線通信波によりデータ伝送が行われる。解析装置５０は、サーバー（格納手段）５１、解析手段５２などを備える。サーバー５１には、電子パッケージ１０より伝送された生データ、および、この生データを解析手段５２にて解析した解析データなどが格納されている。
【００３９】
モニター６０は、サーバー５１に格納された生データや解析データを表示することができる。データ読取装置４０と解析装置５０との間、および、解析装置５０とモニター６０との間はケーブル線接続または無線通信でデータ伝送が行われる。
【００４０】
次に、このように構成された使用者情報管理システムの運用方法について、図１〜４を参照しつつ、図５，６を用いて説明する。まず、販売員のカウンセリングに基づいて使用者は、最適と思われる電子パッケージ１０に入った美肌促進のためのサプリメント１５を店舗にて購入する。なお、それぞれの電子パッケージ１０の記憶手段３３には、商品名などの商品の固有情報が製造時点で記憶されている（購入する際に、店舗に据付のデータ書込装置によって、この電子パッケージ１０の基礎的な情報、例えば、サプリメント１５の種類、使用者の年齢、身長、体重、体脂肪率などを記憶手段３３に記憶するようにしてもよい）。
【００４１】
そして、一日１錠、サプリメント１５を服用する。服用する際、まず、使用者は、電子パッケージ１０のスタートボタン（スタートスイッチ）ＳＴを押す（Ｓ１）。すると不連続部２２と導電スポット２１Ａが接触して不連続部２２前後の回路線が導通し、電子モジュールＭの制御部３７が電池３５を電気回路ＥＣに接続して電気回路ＥＣをＯＮにする（Ｓ２）。次に、電子パッケージ１０に表示されている使用者に対する質問文１８、「お肌の調子はいかがですか」に回答するために回答ボタン１９Ａ〜１９Ｃのいずれかを押す（Ｓ３）。今回は、「悪い」（回答）に相当する回答ボタン１９Ａを押下する。すると、不連続部２３Ａと導電スポット２１Ｂ１が接触して不連続部２３Ａ前後の回路線が導通し、電子モジュールＭの制御部３７がリアルタイムクロック３４を作動させて、回答ボタン１９Ａが押された日時をタイムスタンプし、回答とその回答がなされた日時（回答情報と称す）を記憶手段３３に記憶する（Ｓ４）。
【００４２】
次に、サプリメント１５を１つ取り出す。２８個のサプリメント１５は１つずつ湾曲部１４Ａと保持部第３パネル１３Ｄとの間に形成された収容部３０に収容されている（図５（ａ））。この湾曲部１４Ａを上方より親指ＴＨで押して、サプリメント１５を下方に押し出す（Ｓ５）。すると、ミシン目Ｃ１に沿って保持部第３パネル１３Ｄが、ミシン目Ｃ２に沿って保持部第２パネル１３Ｂが切り取られるとともに、アルミシートＡＬが破断して、サプリメント１５が収容部３０から押し出される。このとき、電気回路ＥＣの検知部２４も同時に切り取られ（断線して）、この電気回路ＥＣの電流が停止する。電子モジュールＭの制御部３７は、このサプリメント１５が取り出された日時のタイムスタンプと、取り出された収容部３０の位置（取出情報と称す）とを記憶手段３３に記憶させる（Ｓ６）。すなわち、検知部２４は収容部３０からサプリメント１５が取り出されたことを検知する。なお、このとき、前記回答情報とこの取出情報とをリンクさせて記憶するようにしてもよい。
【００４３】
ここで、オートスリープ手段３６は、回答ボタン１９Ａが押されたときからの時間を計測し（Ｓ７）、所定の時間、サプリメント１５が取り出されない場合（無操作状態）は、制御部３７を介して電池３５の電源供給を微弱にし、電気回路ＥＣをスリープ状態にする。加えて、オートスリープ手段３６は、サプリメント１５が取り出されたときからの時間も計測し、所定の時間、他の操作がなされない（無操作状態）と、制御部３７を介して電池３５の電源供給を微弱にし、電気回路ＥＣをスリープ状態にする（Ｓ８）。
【００４４】
このような手順で、２８日間、サプリメント１５を服用し、そのたびごとに、それぞれのサプリメント１５に対応した回答情報と取出情報とが記憶手段３３に記憶される。２８個のサプリメント１５を服用し終えたら、新しいサプリメントを購入するために、販売店舗へ出向く。この際、使い終えた電子パッケージ１０を持参する。
【００４５】
販売舗には、データ読取装置４０、解析装置５０、モニター６０が備えられている。店頭で、使用者は、使用済みの電子パッケージ１０を販売員に渡す。販売員は、電子パッケージ１０の扉部１１（すなわち、電子モジュールＭが収納されている部分）をデータ読取装置４０に近づける。データ読取装置４０は、外部電源Ｅによって発信手段４１が常時、動作磁界を発生させており、電子パッケージ１０の発電回路３１がこの動作磁界によって励磁され、誘導電流を発生させる。これによって、電子モジュールＭは電源がＯＮとなり、アンテナ３２より、記憶手段３３に記憶されている全てのサプリメント１５に対する回答情報と取出情報、および、商品の固有情報が無線通信波として送信される。
【００４６】
送信された回答情報、取出情報および商品の固有情報は、データ読取装置４０のアンテナ４２を介して取り込まれ、サーバー５１に格納される。次に、販売員は、この生データ（回答情報、取出情報、商品の固有情報）に基づいてカウンセリングを行い、新しく提供する商品（サプリメント）を検討する。このとき、販売員は必要に応じて、解析手段５２を用いて、生データを解析する。そして、解析データに基づいて使用者に最適な商品を販売する。
【００４７】
このように、この例の使用者情報管理システムでは、過去２８日間で使用したサプリメントと使用者の最新の肌の状況に基づいて、販売員が新しく提供する商品を選定することができるため、使用者の肌の状況に合った適切なサプリメントを選定することができる。また、販売店を複数有する場合には、店舗ごとにモニター６０を備え、それぞれのモニター６０が解析装置５０と連結されるようにすることで、購入店に限らず、チェーン店の全てで使用者の情報を共有することができる。これによって、使用者はどの店舗に行っても共通のデータに基づいてカウンセリングを受けることができる。
【００４８】
また、使用者が使用済みの電子パッケージ１０を販売店舗に持参することで、使用済みの電子モジュールＭを回収することができ、電子モジュールＭに含まれるレアアースなどの回収率を向上させることができる。
【００４９】
この例では、７×４の配列で２８個のサプリメント（物質）１５を備え、１つの質問文１８、３つの回答ボタン１９Ａ，１９Ｂ，１９Ｃで構成したが、この発明はこれに限定されるものではなく、物質の数、質問文の数、回答ボタンの数はいくつであってもよい。
【００５０】
なお、収容部は、上述の例に限定されるものではなく、さまざまな形態、用途をとりうる。例えば、図７（ａ），（ｂ）に示すように、美容マスク（物質）１１５を収容部１１４に１つずつ収容してもよい。そして、保持部１１３に形成されたミシン目Ｃ１２を破断させることによって、美容マスク１１５を取り出す。この例の電気回路の構成・作用は、前述の例と同様であり、ミシン目Ｃ１２が破断して美容マスク１１５が取り出されることで、取り出された日時のタイムスタンプと取り出された箇所が記憶手段に記憶される。
【００５１】
図８（ａ）には、この発明の携帯型情報発信装置のさらに別の例を示す。この電子パッケージ２１０では、ゼリー状の美容液（物質）２１５が、収容部２１４に収容されている。この例では、保持部２１３の表層につまみ部ＰＬを形成している。また、各収容部２１４の３方を囲むように（ミシン目に代わる）ジッパーＣ２２を形成する。隣り合う収容部２１４を区切る箇所のジッパーＣ２２には、その両側にまたがるようにして、電気回路ＥＣ´を配置する。この場合、符号２２４が検知部（検知手段）となる。
【００５２】
美容液２１５を取り出すときは、前述のようにスタートボタンＳＴを押下した後、所定の質問に回答する。そして、つまみ部ＰＬをつまんで上に持ち上げるようにして、ジッパーＣ２２に沿って保持部２１３の表層２１３Ｘを引き剥がす（図８（ｂ））。すると、検知部２２４が破断し、記憶手段３３にその日時のタイムスタンプが記憶されるとともに、どの箇所の美容液２１５が取り出されるのかを記憶される。次に、美容液２１５の入った容器ＳをジッパーＣ２２に沿って切り離して取り出す（図８（ｃ））。なお、この容器Ｓには、ノッチＮＴが形成されており、開封を容易にしている（符号２１４Ａは湾曲部を示す）。
【００５３】
なお、この発明の携帯型情報発信装置に収容する物質は、錠剤、ゼリー状液体、美容マスクなどの固体に限定されるものではなく、例えば、洗顔パウダーなど粉体であってもよい。
【００５４】
また、上述の例では、サプリメント１５を取り出す前に電子パッケージ１０に表示されている使用者に対する質問文１８、「お肌の調子はいかがですか」に回答するために回答ボタン１９Ａ〜１９Ｃのいずれかを押したが（Ｓ３）、この発明はこれに限定されるものではなく、サプリメント１５を取り出した後に質問文１８に回答するような構成にしてもよい。
【００５５】
さらに、解析装置５０に格納されるデータは、使用者別に管理されるのみならず、例えば、使用している商品ごとに複数の使用者のデータを集計して商品開発などのために用いたり、販売戦略などを検討するために用いてもよい。
【００５６】
さらに、検知手段は、検知部２４のように電気回路ＥＣの回路線の一部として構成され、この回路線が破断することで収容部から物質が取り出されたことを検知するのに限定されるものではなく、あらゆる部材によって構成されうる。例えば、リミットスイッチなどのように繰り返し使用することができる検知手段を用いてもよい。この場合、開閉可能な扉とプラスチックシートの湾曲部とで収容部を構成し、この扉にリミットスイッチを当接させて扉が開いて収容部から物質が取り出されたことを検知するようにしてもよい。このような構成にすると、電子パッケージを再利用可能なものとすることができる。
【符号の説明】
【００５７】
１０，２１０  電子パッケージ（携帯型情報発信装置）
１５  サプリメント（物質）
１８  質問文
１９Ａ，１９Ｂ，１９Ｃ  回答ボタン
２４，２２４  検知部（検知手段）
３０，１１４，２１４  収容部
３２  アンテナ（送信手段）
３３  記憶手段
３５  電池
３６  オートパワーオフ手段
４０  データ読取装置（電子情報読取装置）
４２  アンテナ（受信手段）
５１  サーバー（格納手段）
６０  モニター（表示手段）
１１５  美容マスク（物質）
２１３Ｘ  表層
２１５  美容液（物質）
Ｃ１，Ｃ２，Ｃ１２  ミシン目
Ｃ２２  ジッパー
ＥＣ，ＥＣ´  電気回路
Ｐ  板紙（基板）
Ｓ  容器
ＳＴ  スタートボタン（スタートスイッチ）
【図１】
2015211910.tif 000003
【図２】
2015211910.tif 000004
【図３】
2015211910.tif 000005
【図４】
2015211910.tif 000006
【図５】
2015211910.tif 000007
【図６】
2015211910.tif 000008
【図７】
2015211910.tif 000009
【図８】
2015211910.tif 000010